(57)【要約】 【課題】  画質調整動作中であっても白黒印刷を待たせることなく白黒の画像を形成することができる画像形成装置および画像形成方法を提供する。【解決手段】  ＣＰＵ１０は、カラー画像形成装置１の電源が投入されたとき、およびウォームアップ時に、画質調整処理部５４ａに、カラー用またはモノクロ用の画質調整動作（以下「プロコン」という）を開始させる。ＣＰＵ１０は、プロコンの実施中に印刷ジョブを受け付けると、受け付けた印刷ジョブがカラー印刷ジョブであるのかモノクロ印刷ジョブであるのかを判定する。受け付けた印刷ジョブがモノクロ印刷ジョブであると、画質調整処理部５４ａに、実施中のプロコンを中断させ、画像形成ユニットによってモノクロ印刷を行う。モノクロ印刷の印刷ジョブが終了した後、一定時間が経過したとき、画質調整処理部５４ａにプロコンの実施を再開させる。【選択図】      図１
2009300625.tif 000002
【特許請求の範囲】
【請求項１】
画像の形成を要求する画像形成要求に応じて画像を形成する画像形成装置であって、
カラーの画像および白黒の画像を形成することが可能な画像形成手段と、
画像形成要求が、カラーの画像の形成を要求するカラー画像形成要求であるのか、白黒の画像の形成を要求する白黒画像形成要求であるのかを判断する判断手段と、
前記画像形成手段が形成する画像の画質を調整する画質調整手段と、
前記画質調整手段によって画質が調整されているときの画像形成要求が、前記判断手段によって白黒画像形成要求であると判断されると、前記画質調整手段に画質の調整を中断させ、前記判断手段によって白黒画像形成要求であると判断された画像形成要求の画像を前記画像形成手段によって形成させた後、前記画質調整手段に画質の調整を再開させる制御手段とを含むことを特徴とする画像形成装置。
【請求項２】
前記画質調整手段による画質の調整の中断を指示可能な中断指示手段をさらに含み、
前記制御手段は、前記画質調整手段によって画質が調整されているときに、前記中断指示手段によって画質の調整の中断が指示されると、前記画質調整手段に画質の調整を中断させることを特徴とする請求項１に記載の画像形成装置。
【請求項３】
前記制御手段は、前記判断手段によって白黒画像形成要求であると判断された画像形成要求の画像を前記画像形成手段によって形成させた後、さらに前記画像形成手段による画像の形成が終了した時点から予め定める時間が経過したとき、前記画質調整手段に画質の調整を再開させることを特徴とする請求項１または２に記載の画像形成装置。
【請求項４】
前記制御手段は、前記画質調整手段に画質の調整を再開させるとき、中断前に行った画質の調整についても再び行わせることを特徴とする請求項１〜３のいずれか１つに記載の画像形成装置。
【請求項５】
画質の調整が連続して中断される回数を制限するための予め定める中断回数を表す中断回数情報、および画質の調整が行われることなく連続して白黒の画像を形成する回数を制限するための予め定める白黒画像形成回数を表す白黒画像形成回数情報のうち少なくとも１つの情報を記憶する記憶手段をさらに含み、
前記制御手段は、
前記画質調整手段による画質の調整が終了した後、前記画質調整手段による画質の調整を連続して中断した回数を計数し、計数した回数が前記記憶手段に記憶される中断回数情報が示す中断回数以上になったとき、
または、前記画質調整手段による画質の調整が終了した後、前記画質調整手段による画質の調整を行うことなく白黒の画像を形成した回数を計数し、計数した回数が前記記憶手段に記憶される白黒画像形成回数情報が示す白黒画像形成回数以上になったとき、
前記画質調整手段に画質の調整を中断させることなく、画質の調整を行わせた後、前記判断手段によって白黒画像形成要求であると判断された画像形成要求の画像を前記画像形成手段によって形成させることを特徴とする請求項１〜４のいずれか１つに記載の画像形成装置。
【請求項６】
表示手段をさらに含み、
前記制御手段は、前記画質調整手段に画質の調整を中断させたとき、画質の調整が必要である状態であることを報知するための画質調整必要報知情報を前記表示手段に表示させることを特徴とする請求項１〜５のいずれか１つに記載の画像形成装置。
【請求項７】
画像の形成を要求する画像形成要求に応じて画像を形成する画像形成装置に画像を形成させる画像形成方法であって、
形成する画像の画質の調整を開始する画質調整開始ステップと、
画像形成要求が、カラーの画像の形成を要求するカラー画像形成要求であるのか、白黒の画像の形成を要求する白黒画像形成要求であるのかを判断する判断ステップと、
前記画質調整開始ステップで画質の調整が開始された後の画像形成要求が、前記判断ステップで白黒画像形成要求であると判断されると、前記画質調整開始ステップで開始された画質の調整を中断し、前記判断ステップで白黒画像形成要求であると判断された画像形成要求の画像を前記画像形成装置によって形成した後、前記中断された画質の調整を再開させる画質調整再開ステップとを含むことを特徴とする画像形成方法。
【発明の詳細な説明】
【技術分野】
【０００１】
本発明は、画像を形成する画像形成装置および画像形成方法に関し、より詳細には、複写機、ファクシミリ、プリンタ、およびこれらが有する機能を備える複合機などで用いられる電子写真方式あるいは静電記録方式によって画像を形成する画像形成装置および画像形成方法に関する。
【背景技術】
【０００２】
カラー画像および白黒画像の画像を形成することができるカラー画像形成装置などの画像形成装置は、外部から受信した画像あるいは原稿読取装置によって読み取った画像の画像データに対して画像処理を施した結果を、印刷あるいは出力することができる。このような画像形成装置として、プリンタ機能、スキャナ機能、ファクシミリ機能およびコピー機能などの基本機能に加えて、ネットワーク通信を利用した各種機能を備える複合機（
Multi Function Peripheral：略称「ＭＦＰ」）が広く普及している。
【０００３】
画像形成装置は、温度および湿度などの使用環境ならびに印刷原稿などの違いによって、画像品質が変化するため、定期的に画質調整動作（以下「プロセスコントロール」ともいう）を、カラー用と白黒（以下「モノクロ」ともいう）用とで各々別のサイクルで実施している。その理由は、カラー画像が、色目に対する変化として人の目に表れ易いため、モノクロ用よりもサイクルを短くして画質調整を詳細に行う必要があるからである。
【０００４】
たとえば、特許文献１に記載される画像形成装置は、常に安定かつ良好な画像品質を維持しつつ、画像出力時の待ち時間をなくすために画像形成動作の終了時から一定時間経過してから、プロセスコントロールを行う制御手段を備えた構成になっている。
【０００５】
定期的にプロセスコントロールを実行することは、印刷画像の鮮明さを維持するためには優れた技術であるが、プロセスコントロールによる調整動作には数十秒から数分の時間を要するので、緊急性を要するユーザにとっては非常に煩わしいものである。
【０００６】
特許文献１に記載される画像形成装置は、待機状態あるいは余熱モードの時期にプロセスコントロールを実施するものであり、ユーザの利用が少ないと考えられるときに、プロセスコントロールを実施することによって、ユーザの待ち状態を減らし、ユーザが煩わしいと感じることを低減しようとするものである。
【特許文献１】特開２００６−２２０９５９号公報
【発明の開示】
【発明が解決しようとする課題】
【０００７】
カラーによる印刷を行うことができるカラー画像形成装置などの画像形成装置は、すべての印刷をカラーで印刷することはなく、モノクロによって印刷する使用比率が多い場合がある。ユーザがモノクロによって印刷しようとしたとき、プロセスコントロールを実施していると、あまり画質調整を必要としないモノクロによる印刷であったとしても、ユーザは印刷を待たされることになる。しかしながら、緊急を要するコピーなどの印刷を行いたい場合には、画像形成装置がプロセスコントロール中であったとしても、ユーザは早く印刷したいものである。
【０００８】
カラー印刷がそれほど利用されていない画像形成装置では、カラー用のプロセスコントロールを実施している状態は、少ないように考えられる。しかしながら、モノクロ印刷を希望するユーザにとっては、時折行われるプロセスコントロールが終了するのを待つ時間が苛立たしく、このプロセスコントロール自体に不満を漏らすこともある。
【０００９】
本発明の目的は、画質調整動作中であっても白黒印刷を待たせることなく白黒の画像を形成することができる画像形成装置および画像形成方法を提供することである。
【課題を解決するための手段】
【００１０】
本発明は、画像の形成を要求する画像形成要求に応じて画像を形成する画像形成装置であって、
カラーの画像および白黒の画像を形成することが可能な画像形成手段と、
画像形成要求が、カラーの画像の形成を要求するカラー画像形成要求であるのか、白黒の画像の形成を要求する白黒画像形成要求であるのかを判断する判断手段と、
前記画像形成手段が形成する画像の画質を調整する画質調整手段と、
前記画質調整手段によって画質が調整されているときの画像形成要求が、前記判断手段によって白黒画像形成要求であると判断されると、前記画質調整手段に画質の調整を中断させ、前記判断手段によって白黒画像形成要求であると判断された画像形成要求の画像を前記画像形成手段によって形成させた後、前記画質調整手段に画質の調整を再開させる制御手段とを含むことを特徴とする画像形成装置である。
【００１１】
また本発明は、画像の形成を要求する画像形成要求に応じて画像を形成する画像形成装置に画像を形成させる画像形成方法であって、
形成する画像の画質の調整を開始する画質調整開始ステップと、
画像形成要求が、カラーの画像の形成を要求するカラー画像形成要求であるのか、白黒の画像の形成を要求する白黒画像形成要求であるのかを判断する判断ステップと、
前記画質調整開始ステップで画質の調整が開始された後の画像形成要求が、前記判断ステップで白黒画像形成要求であると判断されると、前記画質調整開始ステップで開始された画質の調整を中断し、前記判断ステップで白黒画像形成要求であると判断された画像形成要求の画像を前記画像形成装置によって形成した後、前記中断された画質の調整を再開させる画質調整再開ステップとを含むことを特徴とする画像形成方法である。
【発明の効果】
【００１２】
本発明によれば、画像の形成を要求する画像形成要求に応じて画像を形成するにあたって、画像形成手段によって、カラーの画像および白黒の画像が形成され、判断手段によって、画像形成要求が、カラーの画像の形成を要求するカラー画像形成要求であるのか、白黒の画像の形成を要求する白黒画像形成要求であるのかが判断され、画質調整手段によって、形成する画像の画質が調整される。
【００１３】
そして、制御手段によって、前記画質調整手段によって画質が調整されているときの画像形成要求が、前記判断手段によって白黒画像形成要求であると判断されると、前記画質調整手段による画質の調整が中断され、前記判断手段によって白黒画像形成要求であると判断された画像形成要求の画像が前記画像形成手段によって形成された後、前記画質調整手段による画質の調整が再開される。
【００１４】
したがって、画質調整動作中であっても、白黒画像形成要求たとえばモノクロ印刷を待たせることなく、白黒の画像を形成することができる。すなわち、緊急のモノクロ印刷に対しても印刷を待たせることなく、すぐに対応することができるので、ユーザの苛立ちを抑えることができる。さらに、モノクロ印刷後、画質調整動作を確実に実施するので、常によい画質を維持することができる。
【００１５】
また本発明によれば、画像の形成を要求する画像形成要求に応じて画像を形成する画像形成装置に画像を形成させるにあたって、画質調整開始ステップでは、形成する画像の画質の調整を開始する。判断ステップでは、画像形成要求が、カラーの画像の形成を要求するカラー画像形成要求であるのか、白黒の画像の形成を要求する白黒画像形成要求であるのかを判断する。そして、画質調整再開ステップでは、前記画質調整開始ステップで画質の調整が開始された後の画像形成要求が、前記判断ステップで白黒画像形成要求であると判断されると、前記画質調整開始ステップで開始された画質の調整を中断し、前記判断ステップで白黒画像形成要求であると判断された画像形成要求の画像を前記画像形成装置によって形成した後、前記中断された画質の調整を再開させる。
【００１６】
したがって、本発明に係る画像形成方法を適用することによって、画質調整動作中であっても、白黒画像形成要求たとえばモノクロ印刷を待たせることなく、白黒の画像を形成することができる。すなわち、緊急のモノクロ印刷に対しても印刷を待たせることなく、すぐに対応することができるので、ユーザの苛立ちを抑えることができる。さらに、モノクロ印刷後、画質調整動作を確実に実施するので、常によい画質を維持することができる。
【発明を実施するための最良の形態】
【００１７】
図１は、本発明の実施の一形態であるカラー画像形成装置１の全体の構成を模式的に示す図である。画像形成装置であるカラー画像形成装置１は、ネットワークなどの通信回線を介して外部から送信された画像データ、あるいは入力コマンドによってカラー画像形成装置１に入力された画像データなどに基づいて、所定のシートたとえば記録用紙に、多色あるいは単色の画像を可視画像として形成する。本発明に係る画像形成方法は、カラー画像形成装置１によって実行させる。
【００１８】
カラー画像形成装置１は、中間転写ベルト１１、中間転写ベルトクリーニングユニット１２、一次転写ローラ１３、二次転写ローラ１４、定着装置１５、給紙カセット１６、手差し給紙トレイ１７、および排紙トレイ１８、画像形成部５５、露光ユニット１０５、温度湿度検知センサ１５３および後述するローラ群、ならびに図示しない原稿読取装置および図示しない記録用紙のソータ装置を含んで構成される。
【００１９】
カラー画像形成装置１は、ブラック、シアン、マゼンタおよびイエローの４色の各色相に対応した画像データを用いて、画像形成部５５で可視画像の形成を行う。画像形成部５５は、４つの画像形成部５５ａ〜５５ｄから構成される。画像形成部５５ａ〜５５ｄは、各色に対応するカラー画像を形成する。画像形成部５５ａは、ブラックのカラー画像を形成し、画像形成部５５ｂは、シアンのカラー画像を形成し、画像形成部５５ｃは、マゼンタのカラー画像を形成し、画像形成部５５ｄは、イエローのカラー画像を形成する。
【００２０】
各画像形成部５５は、それぞれ、現像装置１０２、感光体ドラム１０１、帯電ローラ１０３およびクリーナユニット１０４を含んで構成され、それぞれの参照符号に、対応する色の添え字ａ〜ｄを付して、どの画像形成部５５を構成するかを示す。たとえば、ブラックの画像形成部５５ａは、感光体ドラム１０１ａ、現像装置１０２ａ、帯電ローラ１０３ａ、転写ローラ１３ａおよびクリーナユニット１０４ａを含んで構成される。以下、各色に依存しない場合には、添え字を省略して示す。画像形成部５５ａ〜５５ｄは、中間転写ベルト１１の移動方向、換言すると、副走査方向に一列に配列されている。
【００２１】
温度湿度検知センサ１５３は、カラー画像形成装置１内の雰囲気温度および湿度を検知するセンサであり、画像形成部５５ａ〜５５ｄの下部に設けられる。温度湿度検知センサ１５３の設置箇所は、画像形成部５５ａ〜５５ｄの下部に限定されるものではなく、カラー画像形成装置１内の雰囲気温度および湿度を検知可能であれば、カラー画像形成装置１内の他の位置に設けてもよい。
【００２２】
画像形成部５５ａ〜５５ｄは、画像形成部５５ａ〜５５ｄの動作が終了した時点から、所定時間経過しても、外部端末から画像の形成を要求する画像形成要求たとえば印刷ジョブなどの後続のコマンドを受信しない場合に、待機モードから省電力モードに切り換わる機能を備えている。待機モードは、画像形成部５５ａ〜５５ｄが即時に画像形成可能な状態のモードであり、省電力モードは、画像形成部５５ａ〜５５ｄの一部への電力供給を停止し、画質調整を行うモードである。当該画質調整期間中に、後続コマンドを受信した際には、画像形成部５５ａ〜５５ｄは、画質調整を行う省電力モードから待機モードに復帰する。画像形成部５５ａ〜５５ｄにおける画質調整への切換および復帰の動作の詳細な説明については、後述する。
【００２３】
露光ユニット１０５は、図示しない半導体レーザ、ポリゴンミラー４、４つの第１反射ミラー７、および３つの第２反射ミラー８を含んで構成される。露光ユニット１０５は、ブラック、シアン、マゼンタ、およびイエローの各色相の画像データによって変調されたレーザビームなどの光ビームのそれぞれを、対応する感光体ドラム１０１ａ〜１０１ｄのそれぞれに照射することによって、感光体ドラム１０１ａ〜１０１ｄのそれぞれに、ブラック、シアン、マゼンタ、およびイエローの各色相の画像データによる静電潜像を形成させる。
【００２４】
露光ユニット１０５は、たとえばレーザ照射部および反射ミラーを備えたレーザスキャニングユニット（略称「ＬＳＵ」）を用いて実現可能であるが、発光素子をアレイ状に並べたもの、たとえば、ＥＬ（Electro-Luminescence）あるいはＬＥＤ（Light Emitting 
Diode）書込みヘッドを用いるものであってもよい。
【００２５】
感光体ドラム１０１は、露光ユニット１０５によって潜像が形成される略円筒形状の像担持体であり、基材上に光導電層が形成されて構成されている。たとえば、アルミニウムなどで製作された金属ドラムを基材として、その外周面に、アモルファスシリコン（ａ−Ｓｉ）、セレン（Ｓｅ）、あるいは有機光半導体（ＯＰＣ）などの光導電層が薄膜状に形成されているが、感光体ドラム１０１の構成は、この構成に限定されるものではない。感光体ドラム１０１は、露光ユニット１０５の上方に配設され、図示しない駆動手段および制御手段によって所定方向に回転するように制御される。
【００２６】
帯電ローラ１０３は、感光体ドラム１０１の表面を所定の電位に均一に帯電させる接触方式の帯電装置である。カラー画像形成装置１は、図１に示すように、帯電装置として接触型のローラ形状の帯電ローラ１０３を用いているが、帯電ローラ１０３に代えて、チャージャー型あるいはブラシ型の帯電装置を用いてもよい。
【００２７】
現像装置１０２は、静電潜像が形成された感光体ドラム１０１の表面にトナーを供給し、静電潜像をトナー像に現像する。現像装置１０２ａ〜１０２ｄのそれぞれは、ブラック、シアン、マゼンタ、およびイエローの各色相のトナーを収納しており、感光体ドラム１０１ａ〜１０１ｄのそれぞれに形成された各色相の静電潜像をブラック、シアン、マゼンタ、およびイエローの各色相のトナー像に顕像化する。クリーナユニット１０４は、現像および画像転写後における感光体ドラム１０１上の表面に残留したトナーを潤滑剤などによって除去して、回収する。
【００２８】
中間転写ベルト１１は、厚さ１００〜１５０μｍ程度のフィルムで無端状に形成されている。中間転写ベルト１１は、４つの感光体ドラム１０１ａ〜１０１ｄの上方に配置され、駆動ローラ１１ａと従動ローラ１１ｂとの間に張架されて、ループ状の移動経路を形成している。中間転写ベルト１１の外周面は、感光体ドラム１０１ｄ、感光体ドラム１０１ｃ、感光体ドラム１０１ｂおよび感光体ドラム１０１ａにこの順に対向している。一次転写ローラ１３ａ〜１３ｄは、中間転写ベルト１１を挟んで各感光体ドラム１０１ａ〜１０１ｄに対向する位置に配置されている。一次転写ローラ１３ａ〜１３ｄの添え字ａ〜ｄは、画像形成部５５ａ〜５５ｄの添え字ａ〜ｄに対応しており、たとえば一次転写ローラ１３ａは、中間転写ベルト１１を挟んで画像形成部５５ａの感光体ドラム１０１ａに対向する位置に配置されている。中間転写ベルト１１が感光体ドラム１０１ａ〜１０１ｄに対向する位置のそれぞれが一次転写位置である。
【００２９】
一次転写ローラ１３ａ〜１３ｄには、感光体ドラム１０１ａ〜１０１ｄの表面に担持されたトナー像を中間転写ベルト１１上に転写するために、トナーの帯電極性と逆極性の一次転写バイアスが定電圧制御によって印加される。これによって、感光体ドラム１０１ａ〜１０１ｄに形成された各色相のトナー像は、中間転写ベルト１１の外周面に順次重ねて転写され、中間転写ベルト１１の外周面にフルカラーのトナー像が形成される。
【００３０】
ブラック、イエロー、マゼンタ、およびシアンのすべての色相ではなく、それらの色相の一部の色相のみの画像データが入力された場合には、４つの感光体ドラム１０１ａ〜１０１ｄのうち、入力された画像データの色相に対応する感光体１０１のみにおいて、静電潜像およびトナー像の形成が行われる。たとえば、白黒（以下「モノクロ」ともいう）画像形成時には、ブラックの色相に対応した感光体ドラム１０１ａのみにおいて静電潜像の形成およびトナー像の形成が行われ、中間転写ベルト１１の外周面には、ブラックのトナー像のみが転写される。
【００３１】
各一次転写ローラ１３ａ〜１３ｄは、直径８〜１０ｍｍの金属、たとえばステンレスを素材とする軸の表面を導電性の弾性材、たとえばＥＰＤＭ（エチレンプロピレンゴム）あるいは発泡ウレタンなどによって被覆して構成されており、導電性の弾性材によって中間転写ベルト１１に均一に高電圧を印加する。カラー画像形成装置１は、転写電極として一次転写ローラ１３ａ〜１３ｄを使用しているが、一次転写ローラの代わりにブラシなども使用可能である。
【００３２】
各一次転写位置において、中間転写ベルト１１の外周面に転写されたトナー像は、中間転写ベルト１１の回転によって、二次転写ローラ１４との対向位置である二次転写位置に搬送される。二次転写ローラ１４は、画像形成時において、内周面が駆動ローラ１１ａの周面に接触する中間転写ベルト１１の外周面に所定のニップ圧で圧接されている。当該ニップ圧を定常的に得るために、二次転写ローラ１４もしくは駆動ローラ１１ａのいずれか１つは、金属などの硬質材料から構成され、他の１つは、弾性ローラなどの軟質材料、たとえば弾性ゴムローラまたは発泡性樹脂ローラなどから構成される。
【００３３】
給紙カセット１６または手差し給紙トレイ１７から給紙された用紙が二次転写ローラ１４と中間転写ベルト１１との間を通過する際に、二次転写ローラ１４に、トナーの帯電極性「−」とは逆極性「＋」の高電圧が印加される。このように、各感光体ドラム１０１ａ〜１０１ｄ上の静電潜像は、各色相に応じたトナーによって顕像化されて、それぞれトナー像となり、これらトナー像は、中間転写ベルト１１上において積層される。その後、積層されたトナー像は、中間転写ベルト１１の回転によって、搬送されてくる用紙と中間転写ベルト１１との接触位置に移動し、この位置に配置されている二次転写ローラ１４によって、中間転写ベルト１１の外周面から用紙上にトナー像が転写される。
【００３４】
中間転写ベルト１１と感光体ドラム１０１との接触によって中間転写ベルト１１に付着したトナー、および中間転写ベルト１１から用紙へのトナー像の転写の際に転写されずに、中間転写ベルト１１上に残存したトナーは、次のステップでトナーの混色を発生させる原因となるため、中間転写ベルトクリーニングユニット１２によって除去されて回収される。中間転写ベルトクリーニングユニット１２には、中間転写ベルト１１に接触するクリーニング部材、たとえばクリーニングブレードが備えられている。このクリーニングブレードが接触する部分の中間転写ベルト１１は、裏側から従動ローラ１１ｂにて支持されている。
【００３５】
可視画像としてトナー像が転写された用紙は、加熱ローラ１５ａおよび加圧ローラ１５ｂを備える定着装置１５に導かれ、加熱ローラ１５ａと加圧ローラ１５ｂとの間を通過して、加熱および加圧処理を受ける。これによって、可視画像となるトナー像が用紙の表面に堅牢に定着する。トナー像が定着した用紙は、排紙ローラ１８ａによって排紙トレイ１８上に排出される。
【００３６】
カラー画像形成装置１には、二次転写ローラ１４と中間転写ベルト１１との間および定着装置１５を経由して排紙トレイ１８に送るための略垂直方向の用紙搬送路Ｐ１が設けられている。用紙搬送路Ｐ１には、用紙カセット１６内の用紙を一枚ずつ用紙搬送路Ｐ１内に繰り出すピックアップローラ１６ａ、繰り出された用紙を上方に向けて搬送する搬送ローラ１６ｂ、搬送されてきた用紙を所定のタイミングで２次転写ローラ１４と中間転写ベルト１１との間に導くレジストローラ１９、および用紙を排紙トレイ１８に排出する排紙ローラ１８ａが配置されている。
【００３７】
さらに、カラー画像形成装置１の内部には、手差し給紙トレイ１７からレジストローラ１９に至る間に、ピックアップローラ１７ａおよび３組の搬送ローラ１７ｂを配置した用紙搬送路Ｐ２が形成され、排紙ローラ１８ａから用紙搬送路Ｐ１におけるレジストローラ１９の上流側に至る間には、２組の搬送ローラ１８ｂが設けられた用紙搬送路Ｐ３が形成されている。
【００３８】
排紙ローラ１８ａは、正逆両方向に回転自在に設けられており、用紙の片面に画像を形成する片面画像形成時、および用紙の両面に画像を形成する両面画像形成における第２面画像形成時に、正転方向に駆動されて用紙を排紙トレイ１８に排出する。そして、両面画像形成における第１面画像形成時には、排出ローラ１８ａは、用紙の後端が定着装置１５を通過するまで正転方向に駆動された後、用紙の後端部を挟持した状態で逆転方向に駆動されて用紙を用紙搬送路Ｐ３内に導く。これによって、両面画像形成時に片面のみに画像が形成された用紙は、表裏面および前後端を反転した状態で用紙搬送路Ｐ１に導かれる。
【００３９】
レジストローラ１９は、用紙カセット１６もしくは手差し給紙トレイ１７から給紙され、または用紙搬送路Ｐ３を経由して搬送された用紙を中間転写ベルト１１の回転に同期したタイミングで２次転写ローラ１４と中間転写ベルト１１との間に導く。このため、レジストローラ１９は、感光体ドラム１０１あるいは中間転写ベルト１１の動作開始時には、回転を停止しており、中間転写ベルト１１の回転に先立って給紙または搬送された用紙は、前端をレジストローラ１９に当接させた状態で用紙搬送路Ｐ１内における移動を停止する。この後、レジストローラ１９は、２次転写ローラ１４と中間転写ベルト１１とが圧接する位置で用紙の前端部と中間転写ベルト１１上に形成されたトナー像の前端部とが対向するタイミングで回転を開始する。
【００４０】
すべての画像形成部５５ａ〜５５ｄにおいて、画像形成が行われるフルカラー画像形成時には、一次転写ローラ１３ａ〜１３ｄが中間転写ベルト１１を感光体ドラム１０１ａ〜１０１ｄのすべてに圧接させる。そして、画像形成部５５ａのみにおいて、画像形成が行われるモノクロ画像形成時には、一次転写ローラ１３ａのみが中間転写ベルト１１を感光体ドラム１０１ａに圧接させる。
【００４１】
中間転写ベルト１１、中間転写ベルトクリーニングユニット１２、一次転写ローラ１３、二次転写ローラ１４、定着装置１５、給紙カセット１６、手差し給紙トレイ１７、および排紙トレイ１８、画像形成部５５、露光ユニット１０５、温度湿度検知センサ１５３および上述したローラ群によって構成される画像形成ユニットは、画像形成手段である。
【００４２】
図２は、カラー画像形成装置１の電気制御部１０の概略の構成を示すブロック図である。カラー画像形成装置１の電気制御部１０は、中央処理ユニット（以下「ＣＰＵ」という）５０が、ＲＯＭ（Read Only Memory）５１に予め記憶された制御プログラムに従って、かつＲＡＭ（Random access Memory）５２などの一時記憶装置に記憶される情報を用いて、カラー画像形成装置１に備わる各構成要素を制御し、画像の読み取り処理、画像処理、画像形成処理、および記録媒体、たとえば用紙の搬送処理、および排紙処理などの処理を実行する。
【００４３】
画像処理部５４、画像形成処理部６１、画質調整開始制御処理部６８、比較処理部７０、用紙搬送処理部７１および排紙処理部７２は、判断手段および制御手段であるＣＰＵ５０がＲＯＭ５１に記憶される制御プログラムを実行することによって実現される機能である。ＲＯＭ５１あるいはＲＡＭ５２に代えて、ＨＤＤ（Hard Disk Drive）などの他の記憶装置を用いることも可能である。上述した画像処理などの各処理をハードウェアで実行するように構成してもよい。
【００４４】
カラー画像形成装置１において、図示しない通信ネットワークに繋がれた各端末装置から送信された原稿画像情報は、通信処理部５３を介して、ＣＰＵ５０の画像処理部５４に入力されるようになっている。
【００４５】
画像処理部５４は、ＲＡＭ５２などの記憶装置に記憶された原稿画像情報を、印刷つまり用紙への画像形成に適した印刷用画像を表す印刷用画像情報に変換する処理を行う。画像処理部５４には、画像形成ユニットに設定される設定値であって、画像形成ユニットが形成する画像の画質を決める設定値を調整することによって、印刷画質濃度の変化あるいは色調の変化などの出力画像の画質変化を調整する画質調整手段である画質調整処理部５４ａが含まれている。所定量設定部５８は、カラー画像またはモノクロ画像に応じて画質調整を行うための感光体走行距離もしくは感光体回転時間、および印刷枚数などの情報を記憶している。
【００４６】
画像処理部５４によって画像処理された印刷用画像情報は、画像形成処理部６１へ入力される。定着装置１５、用紙搬送部５６、排紙部５７および画像形成部５５は、それぞれの駆動部を制御する駆動制御部６０と連動している。用紙搬送部５６は、用紙搬送路Ｐ１〜Ｐ３において用紙の検出および制御を行う。排紙部５７は、排紙ローラ１８ａにおいて用紙の検出および制御を行う。
【００４７】
用紙搬送部５６によって搬送される用紙は、画像形成処理部６１においての画像情報の印刷処理を実行する印刷ステップと、その後に、その印刷処理された用紙に対して定着装置１５で実行される定着ステップを経て、排紙トレイ１８に排出されるようになっている。定着装置１５には、加熱ローラ１５ａの表面などの温度調整をするための加熱ヒータ１５１と、加熱ローラ１５ａを含む定着装置１５の温度を検知する温度検知センサ１５２が備わっている。
【００４８】
駆動制御部６０は、設定された運転条件に従って、用紙搬送駆動部６２、印刷処理駆動部６３、定着駆動部６４、排紙駆動部６５、およびクリーナユニット駆動部６６の動作を、ＣＰＵ５０の指令に従って同期して制御する。用紙搬送駆動部６２は、定着装置１５、用紙搬送部５６、排紙部５７および画像形成部５５などの駆動用アクチュエータである。
【００４９】
用紙搬送駆動部６２は、たとえば用紙搬送部５６であれば、用紙搬送路Ｐ１，Ｐ２上のピックアップローラ１６ａ，１７ａ、およびレジストローラ１９の駆動用モータである。印刷処理駆動部６３は、感光体ドラム１０１の駆動用モータである。定着駆動部６４は、定着装置１５の加熱ローラ１５ａおよび加圧ローラ１５ｂの駆動用モータである。排紙駆動部６５は、排紙ローラ１８ａなどの駆動用モータである。クリーナユニット駆動部６６は、クリーナユニット１０４に備わるブラシローラなどの駆動用モータである。これらの各駆動部の駆動用モータは、それぞれ同じまたは異なるモータを駆動源として適宜に動力伝達機構を介して構成することができる。
【００５０】
累積カウンタ５９は、ＣＰＵ５０に接続され、カラー画像形成装置１のモノクロ画像およびカラー画像に対応する感光体走行距離および印刷枚数などを計数する。比較処理部７０は、累積カウンタ５９で計数された各モノクロおよびカラーの感光体走行距離および印刷枚数などの情報と、所定量設定部５８に記憶される感光体走行距離および印刷枚数などの情報とを比較する。ＣＰＵ５０は、比較処理部７０の比較結果に基づいて、画質調整開始制御処理部６８を作動させ、画質調整処理部５４ａによる可視画像の画質調整の開始を行うように制御する。
【００５１】
図３は、帯電ローラ１０３への印加電圧と感光体ドラム１０１の表面電位との関係の一例を示す図である。横軸が帯電ローラ１０３への印加電圧であり、縦軸が感光体ドラム１０１の表面電位である。カラー画像形成装置１は、帯電ローラ１０３に印加する電圧を変化させることによって、感光体上の表面電位を変化させることができる。印加電圧を大きくすると、表面電位は高くなる。感光体ドラム１０１の表面電位は、図示しない表面電位センサによって測定する。
【００５２】
目標の表面電位−６３０Ｖを得るために必要な帯電ローラ１０３への印加電圧を、帯電ローラ１０３への印加電圧と感光体ドラム１０１の表面電位との関係から求める。図３に示したグラフは、初期設定の印加電圧−６５０Ｖ（ボルト）と、その初期設定の印加電圧に対して±５０Ｖ振った電圧、すなわち、−６００Ｖ、−６５０Ｖおよび−７００Ｖの３点の印加電圧に対応する表面電位を測定し、測定したデータをプロットしたものである。表面電位は、印加電圧−６００Ｖのときに約−５６０Ｖであり、印加電圧−６５０Ｖのときに約−６００Ｖであり、印加電圧−７００Ｖのときに約−６４０Ｖである。したがって、目標の表面電位−６３０Ｖを得るために必要な帯電ローラ１０３への印加電圧は、図３に示したグラフから、約−６８０Ｖである。
【００５３】
カラー画像形成装置１は、まず、ベタ画像濃度を決定するための画質調整を行う。この画質調整動作、つまり白黒画像の画質調整動作は、比較的短時間、たとえば約１０秒の時間で終了する。次に、中間調レベルの画質調整、すなわち目標の感度カーブ、たとえばガンマ特性を得るための画質調整を行う。決定された表面電位を基に、複数の画像濃度の異なるパッチ画像を感光体上もしくは中間転写体上に作成し、その画像濃度を図示しない反射濃度センサなどによって測定し、各パッチ濃度に対する感光体上の画像濃度、すなわちトナー付着量をプロットする。
【００５４】
図４は、パッチ濃度と反射濃度との関係の一例を示す図である。横軸がパッチ濃度であり、縦軸が反射濃度である。目標とする感度カーブ、たとえば図４に破線で示す理想カーブに対して、測定値、たとえば図４に実線で示す測定カーブが示す値がずれていれば、レーザ出力値などを微調整して目標に近づけることを行う。この画質調整動作つまりカラー画像の画質調整動作は、画像パッチ数が多いためにプロットしてから算出するまでに比較的長い時間、たとえば約６０秒の時間を要することになる。
【００５５】
カラー用およびモノクロ用のプロセスコントロールつまり画質調整動作が何回も中断される状態が継続すると、カラー画像形成装置１の印刷画質が劣化していくことになる。そこで、プロセスコントロールを連続して中断することができる回数（以下「回数許容値」という）、もしくはプロセスコントロールを行うことなく連続して印刷することができる印刷枚数（以下「印刷設定枚数」という）を規定しておき、予め定める中断回数である回数許容値に達したとき、あるいは印刷設定枚数に基づいて決まる予め定める白黒画像形成回数である印刷枚数制限値に達したときに、プロセスコントロールを実行することも可能である。
【００５６】
具体的には、プロセスコントロールを実行した後、プロセスコントロールを行うことなく印刷した枚数が、印刷設定枚数、たとえば１０００枚の印刷設定枚数の約１／４の印刷枚数制限値までは可能としておき、その印刷枚数制限値を越えると強制的にプロセスコントロールが入るようにしておけばよい。あるいは、カラー画像形成装置１の操作パネルに、画質の調整が必要である状態であることを報知するための画質調整必要報知情報、たとえば『プロコンが必要』などの情報の表示を、たとえば図６に示す表示手段である表示パネル２００の表示画面２０７に行うことによって、画質不良になった原因が、プロセスコントロールが行われていないためであることを、ユーザに認識してもらい、ユーザによる対応を可能とすることもできる。
【００５７】
回数許容値を表す中断回数情報である回数許容値情報、印刷設定枚数を表す印刷設定枚数情報、および印刷枚数制限値を表す白黒画像形成回数情報である印刷枚数制限値情報は、たとえば記憶手段であるＲＡＭ５２に記憶される。
【００５８】
図５は、ＣＰＵ１０が実行する画質調整処理を示すフローチャートである。カラー画像形成装置１の電源が投入されたとき、およびウォームアップ時に、ステップＳ１に移る。
【００５９】
画質調整開始ステップであるステップＳ１では、画質調整処理部５４ａに、カラー用またはモノクロ用の画質調整動作つまりプロセスコントロール（以下「プロコン」ともいう）を開始させ、たとえばプロコンを実施中であることを表す実施中情報をＲＡＭ５２に記憶することによって、プロコンの実施中であるとする。ステップＳ２では、印刷ジョブの要求があると、その印刷ジョブを受け付ける。印刷ジョブの要求は、たとえば通信処理部５３に接続されるパーソナルコンピュータあるいは操作部６９から指示される。
【００６０】
ステップＳ３では、パーソナルコンピュータから受け取った属性データあるいはスキャナなどの原稿読取装置から受け取った属性データに基づいて、受け付けた印刷ジョブがカラー画像で印刷するカラー印刷ジョブであるのか、モノクロ画像で印刷するモノクロ印刷ジョブであるのかを判定する。受け付けた印刷ジョブがカラー画像形成要求であるカラー印刷ジョブであると、ステップＳ４に進み、受け付けた印刷ジョブが白黒画像形成要求であるモノクロ印刷ジョブであると、ステップＳ８に進む。ステップＳ２〜Ｓ３は、判断ステップである。
【００６１】
ステップＳ４では、実行されている画質調整動作がカラー用プロコンであるのかモノクロ用プロコンであるのかを問わず、画質調整処理部５４ａに、実施中のプロコンを中断させる。ステップＳ５では、画像形成ユニットによってモノクロ印刷を行う。画像形成ユニットは、中間転写ベルト１１、中間転写ベルトクリーニングユニット１２、一次転写ローラ１３、二次転写ローラ１４、定着装置１５、給紙カセット１６、手差し給紙トレイ１７、および排紙トレイ１８、画像形成部５５、露光ユニット１０５、温度湿度検知センサ１５３および上述したローラ群によって構成される。
【００６２】
ステップＳ６では、モノクロ印刷の印刷ジョブが終了した後、引き続く印刷ジョブがないとき、もしくは一定時間が経過したとき、ステップＳ７に進む。ステップＳ７では、画質調整処理部５４ａにプロコンの実施を再開させ、プロコンの実施が終了すると、画質調整処理を終了する。ステップＳ４〜Ｓ７は、画質調整再開ステップである。
【００６３】
ステップＳ８では、実施中のプロコンがカラー用のプロコンであるのかモノクロ用のプロコンであるのかを判定する。実施中のプロコンがモノクロ用のプロコンであると、ステップＳ９に進み、実施中のプロコンがカラー用のプロコンであると、ステップＳ１３に進む。ステップＳ９では、画質調整処理部５４ａに、実施中のモノクロ用のプロコンを中断させる。ステップＳ１０では、画像形成ユニットによってカラー印刷を行う。ステップＳ１１では、カラー印刷の印刷ジョブが終了した後、一定時間が経過したとき、ステップＳ１２に進む。ステップＳ１２では、画質調整処理部５４ａにプロコンの実施を再開させ、プロコンの実施が終了すると、画質調整処理を終了する。
【００６４】
ステップＳ１３では、画質調整処理部５４ａに、実施中のカラー用のプロコンの実施を継続させてプロコンの実施を終了させる。ステップＳ１４では、ステップＳ２で受け付けた印刷ジョブのカラー印刷を、画像形成ユニットによって行った後、画質調整処理を終了する。
【００６５】
このように、カラー画像形成装置１は、緊急のモノクロ印刷に対して印刷を待たせることがなく、すぐに対応することができるので、ユーザの苛立ちを抑えることができる。さらに、一定時間経過後には画質調整動作を確実に実施することができ、カラー画像形成装置１の印刷品質の低下を防止することができる。
【００６６】
このように、画像の形成を要求する印刷ジョブに応じて画像を形成するにあたって、画像形成ユニットによって、カラーの画像および白黒の画像が形成され、ＣＰＵ５０によって、印刷ジョブが、カラーの画像の形成を要求するカラー印刷ジョブであるのか、白黒の画像の形成を要求するモノクロ印刷ジョブであるのかが判断され、画質調整処理部５４ａによって、形成する画像の画質が調整される。
【００６７】
そして、ＣＰＵ５０によって、画質調整処理部５４ａによって画質が調整されているときの印刷ジョブが、ＣＰＵ５０によってモノクロ印刷ジョブであると判断されると、画質調整処理部５４ａによる画質の調整が中断され、ＣＰＵ５０によってモノクロ印刷ジョブであると判断された印刷ジョブの画像が画像形成ユニットによって形成された後、画質調整処理部５４ａによる画質の調整が再開される。
【００６８】
したがって、画質調整動作中であっても、モノクロ印刷を待たせることなく、白黒の画像を形成することができる。すなわち、緊急のモノクロ印刷に対しても印刷を待たせることなく、すぐに対応することができるので、ユーザの苛立ちを抑えることができる。さらに、モノクロ印刷後、画質調整動作を確実に実施するので、常によい画質を維持することができる。
【００６９】
さらに、ＣＰＵ５０によって、ＣＰＵ５０によってモノクロ印刷ジョブであると判断された印刷ジョブの画像が画像形成ユニットによって形成された後、さらに画質調整処理部５４ａによる画像の形成が終了した時点から予め定める時間が経過したとき、画質調整処理部５４ａによる画質の調整が再開されるので、ユーザは、画質調整を再実行させることに特に注意を払う必要がない。
【００７０】
さらに、ＣＰＵ５０によって、画質調整処理部５４ａによる画質の調整が再開されるとき、中断前に行った画質の調整についても再び行わせる。すなわち、画質調整動作を中断しても、画質調整動作を最初から行うので、挿入されたモノクロ印刷による変化分も反映することができ、よりよい画質で画像を形成することができる。
【００７１】
さらに、ＲＡＭ５２によって、画質の調整が連続して中断される回数を制限するための回数許容値を表す回数許容値情報、および画質の調整が行われることなく連続して白黒の画像を形成する回数を制限するための印刷枚数制限値を表す印刷枚数制限値情報のうち少なくとも１つの情報が記憶される。
【００７２】
そして、ＣＰＵ５０によって、画質調整処理部５４ａによる画質の調整が終了した後、画質調整処理部５４ａによる画質の調整を連続して中断した回数を計数し、計数した回数がＲＡＭ５２に記憶される回数許容値情報が示す回数許容値以上になったとき、または、画質調整処理部５４ａによる画質の調整が終了した後、画質調整処理部５４ａによる画質の調整を行うことなく白黒の画像を形成した回数を計数し、計数した回数がＲＡＭ５２に記憶される印刷枚数制限値情報が示す印刷枚数制限値以上になったとき、画質調整処理部５４ａによる画質の調整が中断されることなく、画質の調整が行われた後、ＣＰＵ５０によってモノクロ印刷ジョブであると判断された印刷ジョブの画像が画像形成ユニットによって形成される。
【００７３】
したがって、カラー用およびモノクロ用の画質調整動作がいつまでたっても実行されないために起こる画質劣化を防止することができる。
【００７４】
さらに、ＣＰＵ５０によって、画質調整処理部５４ａによる画質の調整が中断されたとき、画質の調整が必要である状態であることを報知するための画質調整必要報知情報、たとえば『プロコンが必要』などの情報が操作パネル２００に表示されるので、画像の形成たとえば印刷の画質が不良する可能性があることをユーザに示唆することができ、ユーザに対して親切な画像形成装置とすることができる。
【００７５】
さらに、画像の形成を要求する印刷ジョブに応じて画像を形成するカラー画像形成装置１に画像を形成させるにあたって、図５に示したステップＳ１では、形成する画像の画質の調整を開始する。図５に示したステップＳ２〜Ｓ３では、印刷ジョブが、カラーの画像の形成を要求するカラー印刷ジョブであるのか、白黒の画像の形成を要求するモノクロ印刷ジョブであるのかを判断する。そして、図５に示したステップＳ４〜Ｓ７では、図５に示したステップＳ１で画質の調整が開始された後の印刷ジョブが、図５に示したステップＳ２〜Ｓ３でモノクロ印刷ジョブであると判断されると、図５に示したステップＳ１で開始された画質の調整を中断し、図５に示したステップＳ２〜Ｓ３でモノクロ印刷ジョブであると判断された印刷ジョブの画像をカラー画像形成装置１によって形成した後、前記中断された画質の調整を再開させる。
【００７６】
したがって、本発明に係る画像形成方法を適用することによって、画質調整動作中であっても、モノクロ印刷を待たせることなく、白黒の画像を形成することができる。すなわち、緊急のモノクロ印刷に対しても印刷を待たせることなく、すぐに対応することができるので、ユーザの苛立ちを抑えることができる。さらに、モノクロ印刷後、画質調整動作を確実に実施するので、常によい画質を維持することができる。
【００７７】
図６は、操作部６９に用いられる操作パネル２００の一例を示す図である。操作パネル２００は、従来キーおよび表示画面２０７に加えて、プロコンキャンセルキー２０１が設けられている。従来キーは、たとえばクリアキー２０２、全解除キー２０３、白黒スタートキー２０４、カラースタートキー２０５、ならびに「０」から「９」，「＊」および「＃／Ｐ」の数字・記号キー２０６などの操作キーである。
【００７８】
中断指示手段であるプロコンキャンセルキー２０１は、実施中のプロコンを中断させるための操作ボタンである。ＣＰＵ５０は、プロコンキャンセルキー２０１が押下されたことを、操作部６９から知らされると、画質調整処理部５４ａに、実施中のプロコンを中断させる。ユーザは、カラー画像形成装置１がプロコンを実施中であったとしても、ユーザがモノクロ印刷を行う前に、プロコンキャンセルキー２０１を操作することによって、実施中のプロコンを中断させることができる。したがって、ユーザは、実施中のプロコンが終了するのを待つことなく、すぐにモノクロ印刷を行うことができる。
【００７９】
このように、カラー画像形成装置１は、ユーザ自身の指示によってプロコンを中断してモノクロ印刷を優先することができので、カラー画像形成装置１をユーザフレンドリな装置とすることができる。
【００８０】
図６に示した操作パネル２００の例では、プロコンキャンセルキー２０１を設けたが、プロコンキャンセルキー２０１を設ける代わりに、クリアキー２０２、または全解除キー２０３にその機能を持たすことも可能である。
【００８１】
このように、プロコンキャンセルキー２０１によって、画質調整処理部５４ａによる画質の調整の中断が指示される。ＣＰＵ５０によって、画質調整処理部５４ａによって画質が調整されているときに、プロコンキャンセルキー２０１によって画質の調整の中断が指示されると、画質調整処理部５４ａによる画質の調整が中断される。したがって、画質調整動作を中断させて、白黒の画像の形成を要求する画像形成要求たとえばモノクロ印刷を先に実行したというユーザの要望に答えることができるので、よりユーザフレンドリなカラー画像形成装置１とすることができる。
【００８２】
上述した実施の形態では、画像形成装置の一例として、電子写真方式のディジタルフルカラー複合機に即したカラー画像形成装置１を示したが、本発明に係る画像形成装置は、電子写真方式であるのかデジタル方式であるのかには限定されず、さらにインクジェット方式など他の画像形成方式もしくはアナログ方式のプリンタあるいはファクシミリなどの装置にも同様に適用することができる。
【図面の簡単な説明】
【００８３】
【図１】本発明の実施の一形態であるカラー画像形成装置１の全体の構成を模式的に示す図である。
【図２】カラー画像形成装置１の電気制御部１０の概略の構成を示すブロック図である。
【図３】帯電ローラ１０３への印加電圧と感光体ドラム１０１の表面電位との関係の一例を示す図である。
【図４】パッチ濃度と反射濃度との関係の一例を示す図である。
【図５】ＣＰＵ１０が実行する画質調整処理を示すフローチャートである。
【図６】操作部６９に用いられる操作パネル２００の一例を示す図である。
【符号の説明】
【００８４】
１  カラー画像形成装置
４  ポリゴンミラー
７  第１反射ミラー
８  第２反射ミラー
１０  電気制御部
１１  中間転写ベルト
１１ａ  駆動ローラ
１１ｂ  従動ローラ
１２  中間転写ベルトクリーニングユニット
１３  一次転写ローラ
１４  二次転写ローラ
１５  定着装置
１５ａ  加熱ローラ
１５ｂ  加圧ローラ
１６  用紙カセット
１６ａ，１７ａ  ピックアップローラ
１６ｂ，１７ｂ，１８ｂ  搬送ローラ
１７  手差し給紙トレイ
１８  排紙トレイ
１８ａ  排紙ローラ
１９  レジストローラ
５０  制御部
５１  ＲＯＭ
５２  ＲＡＭ
５３  通信処理部
５４  画像処理部
５５  画像形成部
５５ａ  バイアス電圧印加部
５６  用紙搬送部
５７  排紙部
５８  所定量設定部
５９  累積カウンタ
６０  駆動制御部
６１  画像形成処理部
６２  用紙搬送駆動部
６３  印字処理駆動部
６４  定着駆動部
６５  排紙駆動部
６６  クリーナユニット駆動部
６８  画質調整開始制御処理部
６９  操作部
７０  比較処理部
７１  用紙搬送処理部
７２  排紙処理部
１０１  感光体ドラム
１０２  現像装置
１０３  帯電ローラ
１０４  クリーナユニット
１０５  露光ユニット
１５３  温度湿度検知センサ
１５４  反射濃度センサ
１５５  表面電位センサ
２００  操作パネル
２０１  プロコンキャンセルキー
２０２  クリアキー
２０３  全解除キー
２０４  白黒スタートキー
２０５  カラースタートキー
２０６  数字・記号キー
２０７  表示画面
【図１】
2009300625.tif 000003
【図２】
2009300625.tif 000004
【図３】
2009300625.tif 000005
【図４】
2009300625.tif 000006
【図５】
2009300625.tif 000007
【図６】
2009300625.tif 000008